(57)【要約】【課題】複数のアプリケーションを選択的に利用可能な非接触型情報記録媒体であって、利用可能なアプリケーションをユーザが容易に設定及び選択する。【解決手段】アンテナ２２が形成されたケース２０と、ケース２０に装着され、ＩＣチップ１０が装着される回転体３０とからなり、回転体３０に、ＩＣチップ１０が着脱可能に構成され、ＩＣチップ１０が装着された場合にＩＣチップ１０と電気的に接触する接点３２ａ〜３２ｄが設けられた複数の凹部３１ａ〜３１ｄと、複数の凹部３１ａ〜３１ｄ毎に接点３２ａ〜３２ｄと接続されて設けられ、アンテナ２２と選択的に接触する接続部材３３ａ〜３３ｄとを設ける。【選択図】  図１
2004295792.tif 000002
【特許請求の範囲】
【請求項１】
コイル状のアンテナと、前記アンテナと接続されることにより該アンテナを介して非接触状態にて情報の書き込み及び読み出しが可能なＩＣチップとを少なくとも有してなる非接触型情報記録媒体であって、
前記アンテナが形成された第１の筐体と、
前記第１の筐体に装着され、前記ＩＣチップが装着される第２の筐体とを有し、
前記第２の筐体は、
前記ＩＣチップが着脱可能に構成され、前記ＩＣチップが装着された場合に該ＩＣチップと電気的に接触する接点が設けられた複数の凹部と、
前記複数の凹部毎に前記接点と接続されて設けられ、前記アンテナと選択的に接触する接続手段とを具備することを特徴とする非接触型情報記録媒体。
【請求項２】
請求項１に記載の非接触型情報記録媒体において、
前記第２の筐体は、軸を中心として前記第１の筐体の１つの面に対向しながら回転する回転体であることを特徴とする非接触型情報記録媒体。
【請求項３】
請求項２に記載の非接触型情報記録媒体において、
前記第１の筐体は、前記第２の筐体が回転した際の前記接続手段の軌跡となる領域のうち前記アンテナ以外の領域に、前記接続手段が接触しない程度の深さを具備する溝を有することを特徴とする非接触型情報記録媒体。
【請求項４】
コイル状のアンテナと、前記アンテナを介して非接触状態にて情報の書き込み及び読み出しが可能なＩＣチップとを少なくとも有してなる非接触型情報記録媒体であって、
前記アンテナがその両端にランド部を有して形成された第１の筐体と、
前記第１の筐体に装着され、前記ＩＣチップが着脱可能に構成された複数の凹部を具備する第２の筐体とを有し、
前記ランド部は、前記凹部に前記ＩＣチップが装着された場合に、前記ＩＣチップに内蔵された接続端子と選択的に対向する領域に設けられていることを特徴とする非接触型情報記録媒体。
【請求項５】
コイル状のアンテナと、前記アンテナと接続されることにより該アンテナを介して非接触状態にて情報の書き込み及び読み出しが可能なＩＣチップとを少なくとも有してなる非接触型情報記録媒体であって、
前記ＩＣチップが内蔵されるとともに、該ＩＣチップと前記アンテナとを接続するための第１の接点を具備するＩＣユニットと、
前記アンテナが形成されるとともに、前記ＩＣユニットが着脱可能に構成された複数の凹部が設けられた筐体とを有し、
前記複数の凹部のうち１つの凹部には、前記アンテナの両端に接続され、該凹部に前記ＩＣユニットが装着された場合に該ＩＣユニットの第１の接点と接触する第２の接点が設けられていることを特徴とする非接触型情報記録媒体。
【発明の詳細な説明】
【０００１】
【発明の属する技術分野】
本発明は、非接触状態にて情報の書き込み及び読み出しが可能な非接触型情報記録媒体に関し、特に、複数のアプリケーションに適用可能な非接触型情報記録媒体に関する。
【０００２】
【従来の技術】
近年、情報化社会の進展に伴って、情報をカードに記録し、該カードを用いた情報管理や決済等が行われている。
【０００３】
このような情報管理や決済等に用いられるカードは、ＩＣチップが内蔵されたＩＣカードや、磁気により情報が書き込まれた磁気カード等があり、専用の装置を用いて情報の書き込み及び読み出しが行われる。
【０００４】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みあるいは読み出しを行う際、カードを取り出して専用の装置に挿入したりする必要がなく取り扱いに便利なため、そのカード及び該カードに書き込まれた情報を読み取るための装置の急速な普及が進みつつある。
【０００５】
図４は、従来の非接触型ＩＣカードの構造の一例を示す図であり、（ａ）は内部構造を示す図、（ｂ）は断面図である。
【０００６】
本従来例における非接触型ＩＣカードは図４に示すように、樹脂シート５１５上に、外部からの情報の書き込み及び読み出しが可能なＩＣチップ５１１が搭載されるとともに、ＩＣチップ５１１の接続端子５１４を介してＩＣチップ５１１と接続され、外部に設けられた情報書込／読出装置（不図示）からの電磁誘導によりＩＣチップ５１１に電流を供給し、ＩＣチップ５１１に対する情報の書き込み及び読み出しを非接触状態にて行うための導電性のアンテナ５１２が形成されたインレット５１０が、コア材５２０ａ，５２０ｂ及び表面シート５３０ａ，５３０ｂに挟まれるようにこれらが積層されて構成されている。なお、ＩＣチップ５１１は、接続端子５１４によってアンテナ５１２と接続された状態で、接着剤５１６によって樹脂シート５１５に接着されている。
【０００７】
上記のように構成された非接触型ＩＣカードにおいては、外部に設けられた情報書込／読出装置に近接させることにより、情報書込／読出装置からの電磁誘導によりアンテナ５１２からＩＣチップ５１１に電流が供給され、それにより、非接触状態において、情報書込／読出装置からＩＣチップ５１１に情報が書き込まれたり、ＩＣチップ５１１に書き込まれた情報が情報書込／読出装置にて読み出されたりする。
【０００８】
上述したような非接触状態にて情報の書き込み及び読み出しが可能な非接触型ＩＣカードにおいては、利用されるアプリケーション毎にそのアプリケーションにて用いられる情報を予め書き込んでおけば、利用者は、所望のアプリケーションに用いられる情報が書き込まれたカードを用いて所望のアプリケーションを利用することができる。このようなカードを用いたアプリケーションとしては、交通機関等における運賃決済や、イベント等における来場者管理等が挙げられる。
【０００９】
ところが、上述した非接触型ＩＣカードのような非接触型情報記録媒体においては、その用途毎に、その用途に用いられる情報が書き込まれたカードをユーザが所持する必要があるため、ユーザが利用する用途の数が多い場合、カードの管理が煩雑になってしまうとともに、カードを紛失する可能性が高くなってしまう。
【００１０】
そこで、ＩＣチップ内のメモリを、利用可能とするアプリケーションの数に応じて複数の領域に分割し、それぞれの分割領域を複数のアプリケーション毎に独立したメモリ空間として使用するようにすることにより、１枚の非接触型ＩＣカードで複数のアプリケーションを利用可能とする技術が考えられている。このような非接触型ＩＣカードにおいては、利用可能なアプリケーションの処理プログラムがＩＣチップ内のメモリの分割された領域毎にそれぞれ書き込まれており、非接触型ＩＣカードに対して情報の書き込み及び読み出しを行うリーダ／ライタ側にてアプリケーションが選択され、それにより、非接触型ＩＣカードが選択されたアプリケーションにて利用可能となる（例えば、特許文献１参照。）。
【００１１】
また、ケースに収納された円盤状のＩＣカードに、複数の非接触型ＩＣモジュールを搭載し、このＩＣカードを回転させることにより非接触型ＩＣモジュールを選択的に近接部に近接させ、それにより、複数の非接触型ＩＣモジュールに書き込まれた情報を利用した用途を選択的に実行することができるようにする技術が考えられている（例えば、特許文献２参照。）。
【００１２】
【特許文献１】
特開２００１−１６７２４１号公報
【特許文献２】
特開２００２−２５９９２９号公報
【００１３】
【発明が解決しようとする課題】
しかしながら、上述したように複数のアプリケーションを利用可能な従来の非接触型情報記録媒体においては、利用可能なアプリケーションにおける処理プログラムが予め格納されているため、複数のアプリケーションが選択的に利用可能ではあるものの、利用可能なアプリケーションを変更することができないという問題点がある。
【００１４】
また、利用可能なアプリケーションを変更可能な場合であっても、ＩＣチップに書き込まれた処理プログラムを変更しなければならず、手間がかかってしまうという問題点がある。
【００１５】
本発明は、上述したような従来の技術が有する問題点に鑑みてなされたものであって、複数のアプリケーションを選択的に利用可能な非接触型情報記録媒体であって、利用可能なアプリケーションをユーザが容易に設定及び選択することができる非接触型情報記録媒体を提供することを目的とする。
【００１６】
【課題を解決するための手段】
上記目的を達成するために本発明は、
コイル状のアンテナと、前記アンテナと接続されることにより該アンテナを介して非接触状態にて情報の書き込み及び読み出しが可能なＩＣチップとを少なくとも有してなる非接触型情報記録媒体であって、
前記アンテナが形成された第１の筐体と、
前記第１の筐体に装着され、前記ＩＣチップが装着される第２の筐体とを有し、
前記第２の筐体は、
前記ＩＣチップが着脱可能に構成され、前記ＩＣチップが装着された場合に該ＩＣチップと電気的に接触する接点が設けられた複数の凹部と、
前記複数の凹部毎に前記接点と接続されて設けられ、前記アンテナと選択的に接触する接続手段とを具備することを特徴とする。
【００１７】
また、前記第２の筐体は、軸を中心として前記第１の筐体の１つの面に対向しながら回転する回転体であることを特徴とする。
【００１８】
また、前記第１の筐体は、前記第２の筐体が回転した際の前記接続手段の軌跡となる領域のうち前記アンテナ以外の領域に、前記接続手段が接触しない程度の深さを具備する溝を有することを特徴とする。
【００１９】
また、コイル状のアンテナと、前記アンテナを介して非接触状態にて情報の書き込み及び読み出しが可能なＩＣチップとを少なくとも有してなる非接触型情報記録媒体であって、
前記アンテナがその両端にランド部を有して形成された第１の筐体と、
前記第１の筐体に装着され、前記ＩＣチップが着脱可能に構成された複数の凹部を具備する第２の筐体とを有し、
前記ランド部は、前記凹部に前記ＩＣチップが装着された場合に、前記ＩＣチップに内蔵された接続端子と選択的に対向する領域に設けられていることを特徴とする。
【００２０】
また、コイル状のアンテナと、前記アンテナと接続されることにより該アンテナを介して非接触状態にて情報の書き込み及び読み出しが可能なＩＣチップとを少なくとも有してなる非接触型情報記録媒体であって、
前記ＩＣチップが内蔵されるとともに、該ＩＣチップと前記アンテナとを接続するための第１の接点を具備するＩＣユニットと、
前記アンテナが形成されるとともに、前記ＩＣユニットが着脱可能に構成された複数の凹部が設けられた筐体とを有し、
前記複数の凹部のうち１つの凹部には、前記アンテナの両端に接続され、該凹部に前記ＩＣユニットが装着された場合に該ＩＣユニットの第１の接点と接触する第２の接点が設けられていることを特徴とする非接触型情報記録媒体。
【００２１】
（作用）
上記のように構成された本発明においては、所望のアプリケーションを利用する場合は、該アプリケーションを利用可能とするＩＣチップを第２の筐体に設けられた凹部に装着し、この凹部に対応して第２の筐体に設けられた接続手段と第１の筐体に形成されたアンテナとを選択的に接続する。すると、この凹部に装着されたＩＣチップとアンテナとが、凹部に設けられた接点とこの凹部に対応して設けられた接続手段とを介して電気的に接続されることになり、この凹部に装着されたＩＣチップを用いて所望のアプリケーションを利用することができるようになる。また、所望のアプリケーションを利用可能とするＩＣチップが第２の筐体に設けられた凹部に装着されている場合は、所望のアプリケーションを利用可能とするＩＣチップが装着された凹部に対応して第２の筐体に設けられた接続手段と第１の筐体に形成されたアンテナとを選択的に接続することにより、この凹部に装着されたＩＣチップを用いて所望のアプリケーションを利用することができるようになる。
【００２２】
このように、第２の筐体に設けられた凹部に装着されたＩＣチップを選択的にアンテナと接続することにより複数のアプリケーションのうち所望のアプリケーションが利用可能となる。また、ＩＣチップを装着するために第２の筐体に設けられた凹部が、ＩＣチップを着脱可能に構成されているので、所望のアプリケーションを利用可能とするＩＣチップがこの凹部に装着されていない場合であっても、所望のアプリケーションを利用可能とするＩＣチップをユーザが容易に凹部に装着することができ、それにより、非接触型情報記録媒体にて利用可能なアプリケーションをユーザが任意に設定することができる。
【００２３】
また、第２の筐体が、軸を中心として第１の筐体の１つの面に対向しながら回転する回転体であり、第１の筐体において、第２の筐体が回転した際の接続手段の軌跡となる領域のうちアンテナ以外の領域に、接続手段が接触しない程度の深さを具備する溝が設けられていれば、利用可能なアプリケーションを選択するために第２の筐体が回転した場合に、接続手段が第１の筐体に接触することがなく、接続手段が破損したり、短絡したりすることがなくなる。
【００２４】
また、第１の筐体において、アンテナがその両端に第１のランド部を有して形成され、このランド部が、第２の筐体に設けられた複数の凹部にＩＣチップが装着された場合に、ＩＣチップに内蔵された接続端子と選択的に対向する領域に形成されたものにおいては、所望のアプリケーションを利用する場合、該アプリケーションを利用可能とするＩＣチップを第２の筐体に設けられた凹部に装着し、この凹部と第１の筐体に形成されたランド部とを選択的に対向させる。すると、ランド部と凹部に装着されたＩＣチップの接続端子とが両電極の役割を果たし、コンデンサ原理によってランド部とＩＣチップの接続端子とが導通し、この凹部に装着されたＩＣチップとアンテナとが、ランド部及びＩＣチップの接続端子を介して電気的に接続されることになり、この凹部に装着されたＩＣチップを用いて所望のアプリケーションを利用することができるようになる。また、所望のアプリケーションを利用可能とするＩＣチップが第２の筐体に設けられた凹部に装着されている場合は、所望のアプリケーションを利用可能とするＩＣチップが装着された凹部と第１の筐体に形成されたランド部とを選択的に対向させることにより、この凹部に装着されたＩＣチップを用いて所望のアプリケーションを利用することができるようになる。
【００２５】
また、コイル状のアンテナと、アンテナと接続されることにより該アンテナを介して非接触状態にて情報の書き込み及び読み出しが可能なＩＣチップとを少なくとも有してなる非接触型情報記録媒体であって、ＩＣチップが内蔵されるとともに、該ＩＣチップとアンテナとを接続するための第１の接点を具備するＩＣユニットと、アンテナが形成されるとともに、ＩＣユニットが着脱可能に構成された複数の凹部が設けられた筐体とからなり、複数の凹部のうち１つの凹部に、アンテナの両端に接続され、該凹部にＩＣユニットが装着された場合に該ＩＣユニットの第１の接点と接触する第２の接点が設けられているものにおいては、所望のアプリケーションを利用する場合は、該アプリケーションを利用可能とするＩＣチップが内蔵されたＩＣユニットを筐体に設けられた凹部のうち第２の接点が設けられた凹部に装着する。すると、ＩＣユニットに設けられた第１の接点と凹部に設けられた第２の接点とが接触し、それより、この凹部に装着されたＩＣユニットに内蔵されたＩＣチップとアンテナとが、ＩＣユニットに設けられた第１の接点と凹部に設けられた第２の接点とを介して電気的に接続されることになり、この凹部に装着されたＩＣユニットに内蔵されたモジュールを用いて所望のアプリケーションを利用することができるようになる。また、所望のアプリケーションを利用可能とするＩＣチップが内蔵されたＩＣユニットが、第２の筐体に設けられた凹部のうち第２の接点が設けられていない凹部に装着されている場合は、その凹部からＩＣユニットを取り出し、該ＩＣユニットを第２の接点が設けられた凹部に装着することにより、第２の接点が設けられた凹部に装着されたＩＣユニットに内蔵されたＩＣチップを用いて所望のアプリケーションを利用することができるようになる。
【００２６】
【発明の実施の形態】
以下に、本発明の実施の形態について図面を参照して説明する。
【００２７】
（第１の実施の形態）
図１は、本発明の非接触型情報記録媒体の第１の実施の形態を示す図であり、（ａ）は表面構造を示す図、（ｂ）は（ａ）に示したＡ−Ａ’断面図、（ｃ）は（ａ）に示した回転体３０の構造を示す図、（ｄ）は（ｃ）に示したＢ−Ｂ’断面図、（ｅ）は（ａ）に示した回転体３０に嵌め込まれるＩＣチップ１０を示す図、（ｆ）は（ｅ）に示したＣ−Ｃ’断面図、（ｇ）は（ａ）に示したケース２０の内部構造を示す図、（ｈ）は（ｇ）に示したＤ−Ｄ’断面図である。
【００２８】
本形態は図１に示すように、所定の位置に窓２１が形成されるとともに内部にコイル状のアンテナ２２が形成された第１の筐体であるケース２０に、アンテナ２２を介して非接触状態にて情報の書き込み及び読み出しが可能なＩＣチップ１０が嵌め込み可能に構成された第２の筐体である円盤状の回転体３０が、ねじ等の軸２５を中心に回転可能に、かつ、取り外し可能に収納されて構成されている。なお、回転体３０は、外部からの操作によって回転可能とするためにその一部がケース２０から突出した状態でケース２０に収納されている。
【００２９】
回転体３０においては、ＩＣチップ１０が嵌め込まれるための凹部３１ａ〜３１ｄが、回転体３０がケース２０に収納された場合に窓２１に対して選択的に対向可能となるような位置に形成され、この凹部３１ａ〜３１ｄの内部には、ＩＣチップ１０が凹部３１ａ〜３１ｄに嵌め込まれた場合にＩＣチップ１０の接続端子１１と接触する接点３２ａ〜３２ｄがそれぞれ設けられている。また、凹部３１ａ〜３１ｄが設けられた領域の裏面には、導電性を有するばね等の弾性体３４ａ〜３４ｄを介して接点３２ａ〜３２ｄと接続され、アンテナ２２と接触するための接続部材３３ａ〜３３ｄが、弾性体３４ａ〜３４ｄの弾性力によって回転体３０の裏面に対して、突出／埋め込み可能に設けられている。
【００３０】
また、ケース２０においては、上述したようにコイル状のアンテナ２２が形成されているとともに、アンテナ２２の両端には、回転体３０に設けられた接続部材３３ａ〜３３ｄと接触するための接点２３が設けられている。また、回転体３０がケース２０に収納された状態で軸２５を中心に回転した場合に接続部材３３ａ〜３３ｄが通過する軌跡には溝２４が形成されている。ここで、溝２４の深さは、回転体３０がケース２０に収納された状態で軸２５を中心に回転した場合に接続部材３３ａ〜３３ｄが接触しない程度の深さとなっている。また、接点２３においては、回転体３０の凹部３１ａ〜３１ｄのいずれかが窓２１に対向した場合に回転体３０の接続部材３３ａ〜３３ｄと接触することになるが、接点２３を、接続部材３３ａ〜３３ｄが接触可能となる程度の深さを有する凹部に形成することで、接続部材３３ａ〜３３ｄが接点２３と接触した際にクリック感を得ることができる。
【００３１】
以下に、上記のように構成された非接触型情報記録媒体を用いた情報処理について説明する。
【００３２】
回転体３０は、ねじ等の軸２５を取り外すことによってケース２０から取り外すことができる。回転体３０がケース２０から取り外された状態で、凹部３１ａ〜３１ｄに所望のアプリケーションを利用可能とするＩＣチップ１０を嵌め込む。なお、凹部３１ａ〜３１ｄにおけるＩＣチップ１０の固定方法においては、ＩＣチップ１０の外形と凹部３１ａ〜３１ｄの外形とを調整することや、スライド機構によってＩＣチップ１０を凹部３１ａ〜３１ｄに嵌め込むことや、剥離可能な接着手段を介してＩＣチップ１０を凹部３１ａ〜３１ｄに嵌め込むこと等が考えられるが、ＩＣチップ１０が凹部３１ａ〜３１ｄから取り外し可能であって、かつ、ＩＣチップ１０の接続端子１１と凹部３１ａ〜３１ｄに設けられた接点３２ａ〜３２ｄとが接触可能となるようにする必要がある。
【００３３】
ＩＣチップ１０が凹部３１ａ〜３１ｄに嵌め込まれた回転体３０をケース２０に収納し、軸２５によって固定する。
【００３４】
その後、回転体３０の凹部３１ａ〜３１ｄに嵌め込まれたＩＣチップ１０を用いてアプリケーションを利用する場合は、そのアプリケーションを利用可能とするＩＣチップ１０がケース２０に設けられた窓２１から視認可能となるように回転体３０を回転させる。その際、ＩＣチップ１０の上面には、利用可能なアプリケーションを識別可能となる情報が記載されているので、ＩＣチップ１０の上面に記載された情報を用いて、所望のアプリケーションを利用可能とするＩＣチップ１０がケース２０に設けられた窓２１から視認可能となるように回転体３０を回転させる。
【００３５】
また、回転体３０を回転させると、回転体３０の裏面に設けられ、アンテナ２２と接触するための接続部材３３ａ〜３３ｄもケース２０の内面に沿って回転することになるが、回転体３０の回転に伴い接続部材３３ａ〜３３ｄが移動する軌跡には、接続部材３３ａ〜３３ｄが接触しない程度の深さを有する溝２４が形成されているため、回転体３０が回転した場合においても接続部材３３ａ〜３３ｄがケース２０に接触することはない。
【００３６】
所望のアプリケーションを利用可能とするＩＣチップ１０がケース２０に設けられた窓２１から視認可能となると、そのＩＣチップ１０がアンテナ２２と接続されることになる。本形態においては、凹部３１ａに嵌め込まれたＩＣチップ１０によってアプリケーションを利用する場合について考える。凹部３１ａに嵌め込まれたＩＣチップ１０がケース２０に設けられた窓２１から視認可能となると、凹部３１ａの裏面に設けられた接続部材３３ａがケース２０に設けられた接点２３と接触する。その際、接点２３は、接続部材３３ａが接触可能となる程度の深さを有する凹部に形成されているため、クリック感を得ることができる。
【００３７】
接点２３と接続部材３３ａとが接触すると、凹部３１ａに嵌め込まれたＩＣチップ１０が、接続端子１１、接点３２ａ、弾性体３４ａ、接続部材３３ａ及び接点２３を介してアンテナ２２と接続されることになり、凹部３１ａに嵌め込まれたＩＣチップ１０に対してアンテナ２２を介して非接触状態にて情報の書き込みあるいは読み出しが行われ、凹部３１ａに嵌め込まれたＩＣチップ１０を用いたアプリケーションが利用可能となる。
【００３８】
その後、利用するアプリケーションを変更する場合は、そのアプリケーションを利用可能とするＩＣチップ１０が回転体３０に嵌め込まれている場合は、所望のアプリケーションを利用可能とするＩＣチップ１０がケース２０の窓から視認可能となるように回転体３０を回転させ、また、所望のアプリケーションを利用可能とするＩＣチップ１０が回転体３０に嵌め込まれていない場合は、軸２５を取り外すことによって回転体３０をケース２０から取り外し、所望のアプリケーションを利用可能とするＩＣチップ１０を凹部３１ａ〜３１ｄに嵌め込み、回転体３０を同様に操作する。
【００３９】
なお、回転体３０に設けられた４つの凹部３１ａ〜３１ｄの全てにＩＣチップ１０を嵌め込む必要はなく、ＩＣチップ１０が嵌め込まれていない凹部が存在していてもよい。その場合、ＩＣチップ１０が嵌め込まれていない凹部がケース２０の窓２１に対向する位置となってもＩＣチップ１０が窓２１から視認可能とならないため、ユーザは、その状態ではこの非接触型情報記録媒体が使用できないことを認識することができる。
【００４０】
また、本形態においては、ケース２０に窓２１を設け、凹部３１ａ〜３１ｄに嵌め込まれたＩＣチップ１０を窓２１から見ることによって利用可能なアプリケーションを認識する構成としているが、ケース２０に窓２１を設けず、回転体３０の周囲に、凹部３１ａ〜３１ｄに嵌め込まれたＩＣチップ１０を識別可能とするような形状の凹凸を形成し、ケース２０から突出する部分に形成された凹凸の形状によって、凹部３１ａ〜３１ｄに嵌め込まれたＩＣチップ１０を識別することも考えられる。この凹凸は、回転体３０の周囲を、凹部３１ａ〜３１ｄの数分に分割し、分割された部分が互いに異なる形状となるように形成されている。本形態においては、回転体３０には４つの凹部３１ａ〜３１ｄが形成されているため、回転体３０の周囲が４分割され、それぞれが互いに異なる凹凸形状を有している。
【００４１】
また、本形態においては、回転体３０にＩＣチップ１０を嵌め込むための４つの凹部３１ａ〜３１ｄが形成されているが、本発明はこれに限らず、凹部の数は１つ以上であればよい。
【００４２】
また、本形態においては、回転体３０において、接続部材３３ａ〜３３ｄが弾性体３４ａ〜３４ｄの弾性力によって、回転体３０の裏面に対して突出／埋め込み可能に設けられているとともに、ケース２０において、接点２３が、接続部材３３ａ〜３３ｄが接触可能となる程度の深さを有する凹部に形成されているが、接続部材３３ａ〜３３ｄが回転体３０の裏面に対してくぼむように設けられ、接点２３がばね等によってケース２０の内面に対して突出／埋め込み可能に設けられていることも考えられる。その場合、接点２３がばね等によってケース２０の内面に対して突出／埋め込み可能に設けられているため、回転体３０が回転した際に接続部材３３ａ〜３３ｄがケース２０に接触することがなくなり、そのため、溝２４を形成する必要がない。
【００４３】
（第２の実施の形態）
図２は、本発明の非接触型情報記録媒体の第２の実施の形態を示す図であり、（ａ）は表面構造を示す図、（ｂ）は（ａ）に示したＡ−Ａ’断面図、（ｃ）は（ａ）に示した回転体１３０の表面構造を示す図、（ｄ）は（ｃ）に示したＢ−Ｂ’断面図、（ｅ）は（ａ）に示した回転体１３０に嵌め込まれるＩＣチップ１１０を示す図、（ｆ）は（ｅ）に示したＣ−Ｃ’断面図、（ｇ）は（ａ）に示したケース１２０の内部構造を示す図である。
【００４４】
本形態は図２に示すように、所定の位置に窓１２１が形成されるとともに内部にコイル状のアンテナ１２２が形成された第１の筐体であるケース１２０に、アンテナ１２２を介して非接触状態にて情報の書き込み及び読み出しが可能なＩＣチップ１１０が嵌め込み可能に構成された第２の筐体である円盤状の回転体１３０が、ねじ等の軸１２５を中心に回転可能に、かつ、取り外し可能に収納されて構成されている。なお、回転体１３０は、外部からの操作によって回転可能とするためにその一部がケース１２０から突出した状態でケース１２０に収納されている。
【００４５】
回転体１３０においては、ＩＣチップ１１０が嵌め込まれるための凹部１３１ａ〜１３１ｄが、回転体１３０がケース１２０に収納された場合に窓１２１に対して選択的に対向可能となるような位置に形成されている。
【００４６】
また、ケース１２０においては、上述したようにコイル状のアンテナ１２２が形成されているとともに、アンテナ１２２の両端には、凹部１３１ａ〜１３１ｄが窓１２１に対向した場合に、ＩＣチップ１１０に内蔵された接続端子１１１と対向する領域にランド部１２３が設けられている。
【００４７】
以下に、上記のように構成された非接触型情報記録媒体を用いた情報処理について説明する。
【００４８】
回転体１３０は、ねじ等の軸１２５を取り外すことによってケース１２０から取り外すことができる。回転体１３０がケース１２０から取り外された状態で、凹部１３１ａ〜１３１ｄに所望のアプリケーションを利用可能とするＩＣチップ１１０を嵌め込む。なお、凹部１３１ａ〜１３１ｄにおけるＩＣチップ１１０の固定方法においては、ＩＣチップ１１０の外形と凹部１３１ａ〜１３１ｄの外形とを調整することや、スライド機構によってＩＣチップ１１０を凹部１３１ａ〜１３１ｄに嵌め込むことや、剥離可能な接着手段を介してＩＣチップ１１０を凹部１３１ａ〜１３１ｄに嵌め込むこと等が考えられるが、ＩＣチップ１１０が凹部１３１ａ〜１３１ｄから取り外し可能である必要がある。
【００４９】
ＩＣチップ１１０が凹部１３１ａ〜１３１ｄに嵌め込まれた回転体１３０をケース１２０に収納し、軸１２５によって固定する。
【００５０】
その後、回転体１３０の凹部１３１ａ〜１３１ｄに嵌め込まれたＩＣチップ１１０を用いてアプリケーションを利用する場合は、そのアプリケーションを利用可能とするＩＣチップ１１０がケース１２０に設けられた窓１２１から視認可能となるように回転体１３０を回転させる。その際、ＩＣチップ１１０の上面には、利用可能なアプリケーションを識別可能となる情報が記載されているので、ＩＣチップ１１０の上面に記載された情報を用いて、所望のアプリケーションを利用可能とするＩＣチップ１１０がケース１２０に設けられた窓１２１から視認可能となるように回転体１３０を回転させる。
【００５１】
所望のアプリケーションを利用可能とするＩＣチップ１１０がケース１２０に設けられた窓１２１から視認可能となると、そのＩＣチップ１１０がアンテナ１２２と導通状態となる。本形態においては、凹部１３１ａに嵌め込まれたＩＣチップ１１０によってアプリケーションを利用する場合について説明する。凹部１３１ａに嵌め込まれたＩＣチップ１１０がケース１２０に設けられた窓１２１から視認可能となると、ＩＣチップ１１０に内蔵された接続端子１１１がケース２０に設けられたランド部１２３と対向する。
【００５２】
ランド部１２３と接続端子１１１とが対向すると、ランド部１２３と接続端子１１１とが両電極の役割を果たし、コンデンサ原理によってランド部１２３と接続端子１１１間が導通し、それにより、凹部１３１ａに嵌め込まれたＩＣチップ１１０が、接続端子１１１及びランド部１２３を介してアンテナ１２２と導通することになり、凹部１３１ａに嵌め込まれたＩＣチップ１１０に対してアンテナ１２２を介して非接触状態にて情報の書き込みあるいは読み出しが行われ、凹部１３１ａに嵌め込まれたＩＣチップ１１０を用いたアプリケーションが利用可能となる。なお、ＩＣチップ１１０に内蔵された接続端子１１１においては、ランド部１２３と対向した場合に、電極の役割を果たすために所定の面積を有するものとする必要がある。
【００５３】
その後、利用するアプリケーションを変更する場合は、そのアプリケーションを利用可能とするＩＣチップ１１０が回転体１３０に嵌め込まれている場合は、所望のアプリケーションを利用可能とするＩＣチップ１１０がケース１２０の窓から視認可能となるように回転体１３０を回転させ、また、所望のアプリケーションを利用可能とするＩＣチップ１１０が回転体１３０に嵌め込まれていない場合は、軸１２５を取り外すことによって回転体１３０をケース１２０から取り外し、所望のアプリケーションを利用可能とするＩＣチップ１１０を凹部１３１ａ〜１３１ｄに嵌め込み、回転体１３０を同様に操作する。
【００５４】
なお、回転体１３０に設けられた４つの凹部１３１ａ〜１３１ｄの全てにＩＣチップ１１０を嵌め込む必要はなく、ＩＣチップ１１０が嵌め込まれていない凹部が存在していてもよい。その場合、ＩＣチップ１１０が嵌め込まれていない凹部がケース１２０の窓１２１に対向する位置となってもＩＣチップ１１０が窓１２１から視認可能とならないため、ユーザは、その状態ではこの非接触型情報記録媒体が使用できないことを認識することができる。
【００５５】
また、本形態においては、ケース１２０に窓１２１を設け、凹部１３１ａ〜１３１ｄに嵌め込まれたＩＣチップ１１０を窓１２１から見ることによって利用可能なアプリケーションを認識する構成としているが、ケース１２０に窓１２１を設けず、回転体１３０の周囲に、凹部１３１ａ〜１３１ｄに嵌め込まれたＩＣチップ１１０を識別可能とするような形状の凹凸を形成し、ケース１２０から突出する部分に形成された凹凸の形状によって、凹部１３１ａ〜１３１ｄに嵌め込まれたＩＣチップ１１０を識別することも考えられる。この凹凸は、回転体１３０の周囲を、凹部１３１ａ〜１３１ｄの数分に分割し、分割された部分が互いに異なる形状となるように形成されている。本形態においては、回転体１３０には４つの凹部１３１ａ〜１３１ｄが形成されているため、回転体１３０の周囲が４分割され、それぞれが互いに異なる凹凸形状を有している。
【００５６】
また、本形態においては、回転体１３０にＩＣチップ１１０を嵌め込むための４つの凹部１３１ａ〜１３１ｄが形成されているが、本発明はこれに限らず、凹部の数は１つ以上であればよい。
【００５７】
（第３の実施の形態）
図３は、本発明の非接触型情報記録媒体の第３の実施の形態を示す図であり、（ａ）は表面構造を示す図、（ｂ）は裏面構造を示す図、（ｃ）は（ａ）に示したＩＣユニット２１０ａを取り外した状態を示す図、（ｄ）は（ａ）に示したカード本体２２０の内部構造を示す図、（ｅ）は（ａ）に示したＩＣユニット２１０ａ〜２１０ｄの内部構造を示す図、（ｆ）は（ｅ）に示したＡ−Ａ’断面図、（ｇ）は（ａ）に示したＩＣユニット２１０ａ〜２１０ｄがカード本体２２０に組み込まれた場合における内部構造を示す図である。
【００５８】
本形態は図３に示すように、所定のアプリケーションを利用可能とするＩＣチップ２１１が内蔵されたＩＣユニット２１０ａ〜２１０ｄが、筐体であるカード本体２２０に設けられた凹部２２１ａ〜２２１ｄに組み込まれて構成されている。
【００５９】
カード本体２２０においては、凹部２２１ａに組み込まれたＩＣユニット２１０ａ〜２１０ｄに対して非接触状態にて情報の書き込みあるいは読み出しを行うためのコイル状のアンテナ２２３が内蔵されており、また、表面には凹部２２１ａが形成され、裏面には凹部２２１ｂ〜２２１ｄが形成されている。これら凹部２２１ａ〜２２１ｄのうち、カード本体２２０の表面に形成された凹部２２１ａの内部には、凹部２２１ａに組み込まれたＩＣユニット２１０ａ〜２１０ｄとアンテナ２２３とを接続するための第２の接点２２２が設けられている。
【００６０】
また、ＩＣユニット２１０ａ〜２１０ｄは、所定のアプリケーションを利用可能とするＩＣチップ２１１が内蔵されているとともに、ＩＣチップ２１１を接点２２２を介してアンテナ２２３と接続するための第１の接点２１２が設けられている。
【００６１】
以下に、上記のように構成された非接触型情報記録媒体を用いた情報処理について説明する。
【００６２】
ＩＣユニット２１０ａ〜２１０ｄのうち、所望のアプリケーションを利用可能とするＩＣチップ２１１が内蔵されたＩＣユニットを、カード本体２２０表面に形成された凹部２２１ａに組み込む。本形態においては、ＩＣユニット２１０ａを凹部２２１ａに組み込むものとする。その際、ＩＣユニット２１０ａ〜２１０ｄの上面には、利用可能なアプリケーションを識別可能となる情報が記載されているので、ＩＣユニット２１０ａ〜２１０ｄの上面に記載された情報を用いて、所望のアプリケーションを利用可能とするＩＣユニット２１０ａを凹部２２１ａに組み込む。なお、凹部２２１ａ〜２２１ｄにおけるＩＣユニット２１０ａ〜２１０ｄの固定方法においては、ＩＣユニット２１０ａ〜２１０ｄの外形と凹部２２１ａ〜２２１ｄの外形とを調整することや、スライド機構によってＩＣユニット２１０ａ〜２１０ｄを凹部２２１ａ〜２２１ｄに嵌め込むことや、剥離可能な接着手段を介してＩＣユニット２１０ａ〜２１０ｄを凹部２２１ａ〜２２１ｄに嵌め込むこと等が考えられるが、ＩＣユニット２１０ａ〜２１０ｄが凹部２２１ａ〜２２１ｄから取り外し可能であって、かつ、ＩＣユニット２１０ａの接点２１２と凹部２２１ａに設けられた接点２２２とが接触可能となるようにする必要がある。
【００６３】
ＩＣユニット２１０ａが凹部２２１ａに組み込まれると、ＩＣユニット２１０ａの接点２１２と凹部２２１ａに設けられた接点２２２とが接触するようになる。これにより、凹部２２１ａに組み込まれたＩＣユニット２１０ａに内蔵されたＩＣチップ２１１に対してアンテナ２２３を介して非接触状態にて情報の書き込みあるいは読み出しが行われ、凹部２２１ａに組み込まれたＩＣユニット２１０ａに内蔵されたＩＣチップ２１１を用いたアプリケーションが利用可能となる。
【００６４】
その後、利用するアプリケーションを変更する場合は、ＩＣユニット２１０ａを凹部２２１ａから取り出すとともに、所望のアプリケーションを利用可能とするＩＣユニットがカード本体２２０裏面に形成された凹部２２１ｂ〜２２１ｄに組み込まれている場合は、所望のアプリケーションを利用可能とするＩＣユニットを凹部２２１ｂ〜２２１ｄから取り出して凹部２２１ａに組み込み、また、所望のアプリケーションを利用可能とするＩＣユニットが凹部２２１ｂ〜２２１ｄに組み込まれていない場合は、所望のアプリケーションを利用可能とするＩＣユニットを凹部２２１ａに組み込むことによって、利用するアプリケーションを、凹部２２１ａに組み込まれたＩＣユニットによるものとする。
【００６５】
なお、カード本体２２０裏面に設けられた３つの凹部２２１ｂ〜２２１ｄの全てにＩＣユニットを組み込む必要はなく、ユニットが組み込まれていない凹部が存在していてもよい。
【００６６】
また、本形態においては、カード本体２２０裏面にＩＣユニットを組み込むための３つの凹部２２１ｂ〜２２１ｄが形成されているが、本発明はこれに限らず、凹部の数は１つ以上であればよい。
【００６７】
【発明の効果】
以上説明したように本発明においては、コイル状のアンテナと、アンテナと接続されることにより該アンテナを介して非接触状態にて情報の書き込み及び読み出しが可能なＩＣチップとを少なくとも有してなる非接触型情報記録媒体において、アンテナが形成された第１の筐体と、第１の筐体に装着され、ＩＣチップが装着される第２の筐体とを有し、第２の筐体が、ＩＣチップが着脱可能に構成され、ＩＣチップが装着された場合に該ＩＣチップと電気的に接触する接点が設けられた複数の凹部と、複数の凹部毎に接点と接続されて設けられ、アンテナと選択的に接触する接続手段とを具備する構成としたため、複数のアプリケーションを選択的に利用可能であって、利用可能なアプリケーションをユーザが容易に設定及び選択することができる。
【００６８】
また、第２の筐体が、軸を中心として第１の筐体の１つの面に対向しながら回転する回転体であり、第１の筐体が、第２の筐体が回転した際の接続手段の軌跡となる領域のうちアンテナ以外の領域に、接続手段が接触しない程度の深さを具備する溝を有する構成としたものにおいては、利用可能なアプリケーションを選択するために第２の筐体が回転した場合に、接続手段が第１の筐体に接触することがなく、接続手段が破損したり、短絡したりすることを防止することができる。
【００６９】
また、コイル状のアンテナと、アンテナを介して非接触状態にて情報の書き込み及び読み出しが可能なＩＣチップとを少なくとも有してなる非接触型情報記録媒体において、アンテナがその両端にランド部を有して形成された第１の筐体と、第１の筐体に装着され、ＩＣチップが着脱可能に構成された複数の凹部を具備する第２の筐体とを有し、ランド部が、凹部にＩＣチップが装着された場合に、ＩＣチップに内蔵された接続端子と選択的に対向する領域に設けられているものにおいても、複数のアプリケーションを選択的に利用可能であって、利用可能なアプリケーションをユーザが容易に設定及び選択することができる。
【００７０】
また、コイル状のアンテナと、アンテナと接続されることにより該アンテナを介して非接触状態にて情報の書き込み及び読み出しが可能なＩＣチップとを少なくとも有してなる非接触型情報記録媒体において、ＩＣチップが内蔵されるとともに、該ＩＣチップとアンテナとを接続するための第１の接点を具備するＩＣユニットと、アンテナが形成されるとともに、ＩＣユニットが着脱可能に構成された複数の凹部が設けられた筐体とを有し、複数の凹部のうち１つの凹部に、アンテナの両端に接続され、該凹部にＩＣユニットが装着された場合に該ＩＣユニットの第１の接点と接触する第２の接点が設けられているものにおいても、複数のアプリケーションを選択的に利用可能であって、利用可能なアプリケーションをユーザが容易に設定及び選択することができる。
【図面の簡単な説明】
【図１】本発明の非接触型情報記録媒体の第１の実施の形態を示す図であり、（ａ）は表面構造を示す図、（ｂ）は（ａ）に示したＡ−Ａ’断面図、（ｃ）は（ａ）に示した回転体の構造を示す図、（ｄ）は（ｃ）に示したＢ−Ｂ’断面図、（ｅ）は（ａ）に示した回転体に嵌め込まれるＩＣチップを示す図、（ｆ）は（ｅ）に示したＣ−Ｃ’断面図、（ｇ）は（ａ）に示したケースの内部構造を示す図、（ｈ）は（ｇ）に示したＤ−Ｄ’断面図である。
【図２】本発明の非接触型情報記録媒体の第２の実施の形態を示す図であり、（ａ）は表面構造を示す図、（ｂ）は（ａ）に示したＡ−Ａ’断面図、（ｃ）は（ａ）に示した回転体の表面構造を示す図、（ｄ）は（ｃ）に示したＢ−Ｂ’断面図、（ｅ）は（ａ）に示した回転体に嵌め込まれるＩＣチップ１１０を示す図、（ｆ）は（ｅ）に示したＣ−Ｃ’断面図、（ｇ）は（ａ）に示したケースの内部構造を示す図である。
【図３】本発明の非接触型情報記録媒体の第３の実施の形態を示す図であり、（ａ）は表面構造を示す図、（ｂ）は裏面構造を示す図、（ｃ）は（ａ）に示したＩＣユニットを取り外した状態を示す図、（ｄ）は（ａ）に示したカード本体の内部構造を示す図、（ｅ）は（ａ）に示したＩＣユニットの内部構造を示す図、（ｆ）は（ｅ）に示したＡ−Ａ’断面図、（ｇ）は（ａ）に示したＩＣユニットがカード本体に組み込まれた場合における内部構造を示す図である。
【図４】従来の非接触型ＩＣカードの構造の一例を示す図であり、（ａ）は内部構造を示す図、（ｂ）は断面図である。
【符号の説明】
１０，１１０，２１１    ＩＣチップ
１１，１１１    接続端子
２０，１２０    ケース
２１，１２１    窓
２２，１２２，２２３    アンテナ
２３，３２ａ〜３２ｄ，２１２，２２２    接点
２４    溝
２５，１２５    軸
３０，１３０    回転体
３１ａ〜３１ｄ，１３１ａ〜１３１ｄ，２２１ａ〜２２１ｄ    凹部
３３ａ〜３３ｄ    接続部材
３４ａ〜３４ｄ    弾性体
１２３    ランド部
２１０ａ〜２１０ｄ    ＩＣユニット
２２０    カード本体
【図１】
2004295792.tif 000003
【図２】
2004295792.tif 000004
【図３】
2004295792.tif 000005
【図４】
2004295792.tif 000006